(57)【特許請求の範囲】
【請求項１】
番組案内情報を有する番組案内情報処理部と、
前記番組案内情報に基づいて番組を受信するために受信部を制御する受信制御部と、
前記受信部で受信された前記番組を記録する記録部と、
前記記録部に記録されている番組を再生する再生制御部と、
前記再生制御部の前記番組の再生が停止したときの停止位置が前記番組の所定パーセント以上の再生済み位置である場合に、前記番組の続きの番組の視聴を希望するか否かの応答を促し、前記応答が、続きの番組の再生を希望する応答であり、すでに前記続きの番組が録画済みであるときは、前記再生制御部に対して前記続きの番組の再生を実行させる判定部と、
を有したことを特徴とする記録再生装置。
【請求項２】
前記所定パーセント以上は、９０％以上であることを特徴とする請求項１記載の記録再生装置。
【請求項３】
前記判定部は、
前記応答が、続きの番組の再生を希望する応答であるが、前記続きの番組が未録画であったとき、次回予約制御部を起動することを特徴とする請求項１記載の記録再生装置。
【請求項４】
前記次回予約制御部は、番組検索部を起動し、
前記番組検索部は、前記番組案内情報を参照して、前記再生された番組の放送の習慣性を検知し、
前記次回予約制御部は、前記習慣性に応じて前記続きの番組の録画予約を行なうことを特徴とする請求項３記載の記録再生装置。
【請求項５】
前記判定部は、
さらに、再生した番組を削除するか否か、削除禁止処理を行うか否かの応答を促し、
前記削除する旨の応答があったときは、削除処理制御部が前記再生した番組の削除を実行し、
削除禁止処理を行う旨の応答があったときは、消去禁止フラグ設定部が当該番組の管理情報に対して削除禁止フラグを付加する
ことを特徴とする請求項１記載の記録再生装置。
【請求項６】
前記判定部は、
さらに、前記再生した番組をゴミ箱フォルダに移動するか否かの応答を促し、移動する旨の応答があったときは、移動処理部が、前記再生した番組をゴミ箱フォルダに移動する
ことを特徴とする請求項１記載の記録再生装置。
【請求項７】
前記判定部は、
表示制御部と相俟って、視聴完了した番組の続きを見る、視聴した番組をゴミ箱移動する、視聴した番組を削除する、視聴した番組に削除禁止フラグを関連つけて保存する、の選択肢をモニタ上に表示する
ことを特徴とする請求項１記載の記録再生装置。
【請求項８】
前記判定部、次回予約制御部は、
表示制御部と相俟って、次回予約画面として、日時指定用の項目、毎曜日指定の項目、シリーズ自動録画指定の項目のいずれかを表示する
ことを特徴とする請求項３記載の記録再生装置。
【請求項９】
番組案内情報を有する番組案内情報処理部と、前記番組案内情報に基づいて番組を受信するために受信部を制御する受信制御部と、前記受信部で受信された前記番組を記録する記録部と、前記記録部に記録されている前記番組を再生する再生制御部とを用いる記録再生方法において、
前記再生制御部の前記番組の再生が停止したときの停止位置が前記番組の所定パーセント以上の再生済み位置である場合に、前記番組の続きの番組の視聴を希望するか否かの応答を促し、
前記応答が、続きの番組の再生を希望する応答であり、すでに前記続きの番組が録画済みであるときは、前記再生制御部に対して前記続きの番組の再生を実行させる、
ことを特徴とする記録再生方法。
【請求項１０】
前記所定パーセント以上は、９０％以上であることを特徴とする請求項９記載の記録再生方法。
【発明の詳細な説明】
【技術分野】
【０００１】
この発明は、記録再生装置及び記録再生方法に関し、特に再生した番組の続きの番組を見る場合にユーザの操作を支援できるようにしたものである。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を録画可能となっている。
【０００３】
一方、放送方式として、地上アナログ放送、地上デジタル放送、衛星アナログ放送、衛星デジタル放送など、各種の放送方式が実現化されている。
【０００４】
また、デジタル放送では、新聞や雑誌のテレビ番組表の代わりに、電子番組ガイド（ＥＰＧ）が番組情報として放送されている。この番組情報は、電話回線などのネットワークを介して取得可能となるように検討されている。
【０００５】
また、最近の記録再生装置では、番組表の中からユーザが予め選択した番組を自動的に録画する、録画予約機能を有する。また、ユーザが、好みのジャンルを設定すれば、自動的に番組表の中から好みのジャンルの番組を検索し、自動的に好みのジャンルの番組を録画する自動録画機能も考えられている。
【０００６】
ユーザは、受信装置で受信されたＥＰＧが表示器の画面上に表示された状態で、録画予約の設定やジャンルの設定行うことができる。
【０００７】
しかし、最近のように放送方式が複数となり、またチャンネル数も多くなると、ユーザが録画予約を行なう手間が複雑かつ面倒な作業となる。また、好みの番組を視聴したジャンルを自動録画予約すると、自動録画する番組が非常に多くなり、録画後の整理に手間取る、同じ番組を別々の放送（例えば地上放送、衛星方法）からダブって録画する、記憶媒体の容量を多く使用するなどの不具合が生じる。
【０００８】
このような状況を考えた場合、記録再生装置に記録する番組は、ユーザが希望する番組であり、かつユーザが確認できるような番組を記録したほうが、好ましい。
【０００９】
そこで、特許文献１では、シリーズ番組の次回放送日時情報をメモリに記憶している。ユーザが、次回の番組の視聴を希望する操作を行ったときは、記憶部の次回放送日時情報を表示し、ユーザに録画予約を行なわせている。
【特許文献１】特開２００２−１７１４５５公報
【発明の開示】
【発明が解決しようとする課題】
【００１０】
本発明の一実施形態では、記録媒体を有する記録装置と、番組案内情報を有効に活用して、ある番組の再生後、その番組の続きの番組を録画済みかどうか判定できるようにし、少なくとも続きの番組が録画済みであれば、すぐに視聴することができるようにし、その設定操作を簡単にした記録再生装置及び方法を提供することを目的とする。さらにまた他の実施形態では、続きの番組を録画済みかどうか判定した後、未録画であれば前記続きの番組を自動的に予約できるようにし、その設定操作を簡単にした記録再生装置及び方法を提供することを目的とする。
【課題を解決するための手段】
【００１１】
上記の目的を達成するためにこの発明の一面では、番組案内情報を有する番組案内情報処理部と、前記番組案内情報に基づいて番組を受信するために受信部を制御する受信制御部と、前記受信部で受信された前記番組を記録する記録部と、前記記録部に記録されている番組を再生する再生制御部と、前記再生制御部の前記番組の再生が停止したときの停止位置が前記番組の所定パーセント以上の再生済み位置である場合に、前記番組の続きの番組の視聴を希望するか否かの応答を促し、前記応答が、続きの番組の再生を希望する応答であり、すでに前記続きの番組が録画済みであるときは、前記再生制御部に対して前記続きの番組の再生を実行させる判定部と、を有する。
【発明の効果】
【００１２】
上記の手段により、複数の続きの番組がシリーズに記録済みであれば、次々と視聴することができ、使い勝手が向上する。
【発明を実施するための最良の形態】
【００１３】
以下、この発明に係る実施の形態を、図面を参照して説明する。まず図１にはこの発明が適用された情報記録再生装置の全体的なブロック構成を示している。図１では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。
【００１４】
図１において、各ブロックを大きく分けると、左側には記録部の主なブロックを示し，右側には再生部の主なブロックを示している。この記録再生装置は、ディスクドライブ部１００２と、ハードディスクドライブ部１００４の２種類のディスクドライブ部を有する。ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。また、ハードディスクドライブ部１００４は、ハードディスクを駆動する。
【００１５】
データプロセッサ部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【００１６】
また記録再生装置は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１７】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１８】
エンコーダ部５０からのエンコード出力は、バッファメモリ５２を含むフォーマッタ５１にて所定のＤＶＤのフォーマットに変換され、先のデータプロセッサ部１００３に供給される。
【００１９】
なおトランスポートストリームから抽出したパケットエレメンタリーストリームがエンコーダ部５０から直接ハードディスクドライブ部１００４のハードディスクに記録される場合もある。
【００２０】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｂ、地上波デジタルチューナ４１ｃ、衛星ＢＳ／ＣＳチューナ４１ｄ，衛星アナログチューナ４１ｅからの受信信号が選択的に入力することができる。また、エンコーダ部５０で複数のデコーダが活用される場合、地上波デジタルチューナ４１ｃで受信した番組がハードディスクドライブ部１００４で録画され、同時に、衛星ＢＳ／ＣＳチューナ４１ｄで受信した番組を視聴することも可能である。
【００２１】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。
【００２２】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２３】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部で受信された場合は、ＤＶＤビデオ信号中の副映像信号が副映像エンコーダでエンコード（ランレングス符号化）されて副映像のビットマップとなる。
【００２４】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１は、上記の変換処理のとき、バッファメモリ５２も利用している。
【００２５】
装置は、フォーマッタ５１でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。
【００２６】
またハードディスクあるいは光ディスク１００１に記録されている複数番組のビデオオブジェクトを、一部削除したり、異なる番組のオブジェクトをつなげたり、といった編集処理を行うこともできる。
【００２７】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３２０を介して、外部ネットワークに接続することが可能である。これにより、外部のサーバーから電子番組案内情報（ＤＥＰＧ：Dynamic Electronic Program Guide）を取り込むことも可能である。
【００２８】
さらにマイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００２９】
またマイクロコンピュータブロック３０は、装置の各ブロックを統括して制御するために必要な各種の情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。またマイクロコンピュータブロック３０は、録画を実行する際の管理情報の制御部と、編集を実行する際の管理情報の制御部をも備える。
【００３０】
さらに、マイクロコンピュータブロック３０には、ＥＰＧ情報処理部３０１（番組案内情報のテーブルを有する番組案内情報処理部）、チューナなどを制御する受信制御部３０２を有する。また、ユーザが所望の番組を指定して録画予約を行なった場合、予約番組或いはタイトルの録画を行なうための予約録画制御部３１１、この予約録画制御部３１１による制御に基づいてエンコーダ部５０、ドライブ部１００２を駆動する記録制御部３１２を有する。またユーザ操作に応答して、記録した番組或いはタイトルを再生するために、再生制御部３１３を有する。
【００３１】
また表示制御部３１４は、ユーザの操作に応じてグラフィックユーザインタフェースとなる画面を出力する。この出力画面の例について後述する。
【００３２】
さらにマイクロコンピュータブロック３０は、コマンド表示及び実行指示判定部３２０を有する。このコマンド表示及び実行指示判定部３２０は、記録装置に記録されていおる番組の再生が終了したときに、表示制御部３１４を介して、モニタ３００１にコマンドを表示する。コマンドの内容は、あとでも詳しく説明するが、再生した番組に関して、例えば、”続きを見る？”、”ゴミ箱へ移動する？”、”即削除する？”、”保護をかける？”などのユーザからの応答を求めるコマンドでありまたコメントとしても機能する。
【００３３】
コマンド表示及び実行指示判定部３２０は、応答が、続きの番組の再生を行う応答であり、すでに続きの番組が録画済みであるときは、再生制御部３１３に対して続きの番組の再生を実行させる。
【００３４】
さらにマイクロコンピュータブロック３０は、番組検索部３２１、次回予約制御部３２２、移動処理部３２３、削除処理制御部３２４、消去禁止フラグ設定部３２５などを有する。
【００３５】
そして、コマンド表示及び実行指示判定部３２０は、応答が、続きの番組の再生を行なう応答であるが、続きの番組が未録画であったときは、次回予約制御部３２２を起動する。
【００３６】
すると次回予約制御部３２２は、番組検索部３２１を起動する。番組検索部３３２１は、番組案内情報のテーブルを参照して、前記再生された番組の放送の習慣性を検知する。そして次回予約制御部３２２は、前記習慣性に応じて続きの番組の録画予約を行なう。
【００３７】
また、コマンド表示及び実行指示判定部３２０は、さらに、再生した番組を削除するか否か、削除禁止処理を行うか否かの応答を促すこともできる。削除する旨の応答があったときは、削除処理制御部３２４が前記再生した番組の削除を実行し、削除禁止処理を行う旨の応答があったときは、消去禁止フラグ設定部３２５が当該番組の管理情報に対して削除禁止フラグを付加する。さらにまた、コマンド表示及び実行指示判定部３２０は、前記再生した番組をゴミ箱フォルダに移動するか否かの応答を促し、移動する旨の応答があったときは、移動処理部３２３が、前記再生した番組をゴミ箱フォルダに移動する。
【００３８】
また、ＭＰＵの実行結果のうち、ユーザに通知すべき内容は、映像データ記録再生装置の表示部８１に表示されるか、またはモニターディスプレイ３００１にＯＳＤ（オンスクリーンディスプレイ）表示される。
【００３９】
またマイクロコンピュータブロック３０は、この装置を操作するための操作信号を与える操作入力部８２を有する。この操作入力部８２は、例えば記録再生装置の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザがこの操作入力部８２を操作することにより、入力された映像音声信号の録画処理や、録画されたコンテンツの再生処理、あるいは録画されたコンテンツに対する編集処理などを施すことができる。
【００４０】
なお、マイクロコンピュータブロック３０が、ディスクドライブ部１００２、ハードディスクドライブ部１００４、データプロセッサ部１００３、エンコーダ部５０及び／またはデコーダ部６０などを制御するタイミングは、ＳＴＣ（システムタイムクロック）３１からの時間データに基づいて実行することができる。録画や再生の動作は、通常はＳＴＣ３１からのタイムクロックに同期して実行されるが、それ以外の処理はＳＴＣ３１とは独立したタイミングで実行されてもよい。
【００４１】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００４２】
デコーダ部６０の出力ビデオ信号は、ビデオミキシング部７１に入力される。ビデオミキシング部７１では、例えばテキストデータの合成が行われる。またビデオミキシング部７１には、ＴＶチューナやＡＶ入力部４１aからの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００４３】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１aからのデジタル信号を直接モニタする時、エンコーダ部５０をスルーした信号を直接選択することも可能である。
【００４４】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００４５】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４６】
また本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００４７】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部１００４に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３からディスクに設定している。
【００４８】
図２には上記したコマンド表示及び実行指示判定部３２０が、有する判定機能の動作を示している。番組あるいはタイトルの再生が停止操作により停止したとき、当該番組或いはタイトルが何パーセント再生済みかにより、次の分岐を考慮する必要がある。例えば、番組あるいはタイトルが５０％再生された状態で、再生停止（停止操作）されたときに、この番組が十分最後まで視聴されたと判断する訳にはいかない。このような場合に、続きの番組を再生すると、途中の番組内容をユーザは把握することができない。そこで、このコマンド表示及び実行指示判定部３２０は、番組の少なくとも９０％以上が再生済みであるときに、番組再生が終了したものと判定し、ユーザに対して続きの番組を再生するか否かの応答を促す。即ち、図２に示すように、再生停止があったとき、停止位置は、番組もしくはタイトルのエンドかどうかを判断する（ステップＳＡ１）。エンドであれば、当該番組が視聴完了された判定する（ステップＳＡ４）。エンドでないときは、停止位置がタイトル長の例えば９５％以上（９０％以上でもよい）かどうかを判定する（ステップＳＡ２、図３参照）。９５％以上であれば、当該番組が視聴完了された判定する（ステップＳＡ４）。しかし、９５％未満（９０％未満でもよい）であれば、当該番組の視聴は未完了であると判定する（ステップＳＡ３）。
【００４９】
図４は、「番組視聴の完了」と判定された後の図１の装置の動作を説明するために示した動作説明図である。再生中の画面の状態（ステップＳＢ１）から再生停止が行なわれ、視聴の完了の判定（ステップＳＢ２）に移ると、次のステップＳＢ３では、表示制御部３１４を介してコマンド画面が現れる。
【００５０】
コマンド画面では、”番組名”が表示されるとともに、複数の選択項目が表示される。選択項目としては、”続きをみる（次回予約）”、”ゴミ箱へ”、”即削除”、”お気に入り（保護）”がある。
【００５１】
選択項目の”続きをみる（次回予約）”は、今視聴し終わった番組の続きの番組を見ますか？という問い合わせである。選択項目の”ゴミ箱へ”は、今視聴し終わった番組をゴミ箱フォルダに移動させますか？という問い合わせである。選択項目の”即削除”は、今視聴し終わった番組を即削除しますか？という問い合わせである。選択項目の”お気に入り（保護）”は、今視聴し終わった番組の管理情報に消去禁止フラグを付加して、保存しますか？という問い合わせである。
【００５２】
ユーザはリモートコントローラを操作してカーソルを移動し、所望の選択項目を選択してハイライトさせ、決定キーを押す。この操作により、次のような動作を得ることができる。
【００５３】
（１）まず”ゴミ箱へ”が選択されたとすると、ステップＳＢ１０に示すように、−番組名−をゴミ箱へ移動しましたというコメントが現れ、その後、一定時間経過すると、通常のＴＶ視聴画面に移行する（ステップＳＢ１１）。
【００５４】
（２）”即削除”が選択されたとすると、ステップＳＢ１２に示すように、−番組名−を削除しましたというコメントが現れ、その後、一定時間経過すると、通常のＴＶ視聴画面に移行する（ステップＳＢ１１）。
【００５５】
（３）”お気に入り（保護）”が選択されたとすると、ステップＳＢ９に示すように、−番組名−を消去禁止にしたというコメントが現れ、その後、一定時間経過すると、通常のＴＶ視聴画面に移行する（ステップＳＢ８）。
【００５６】
（４）”続きをみる（次回予約）”が選択されたとすると、続きの番組が録画済みかどうか判定される。録画済みであれば、ステップＢ４に示すように、−番組名−続きを再生しますというコメントが現れ、その後、当該番組の再生画面に移る（ステップＳＢ５）。
【００５７】
（５）”続きをみる（次回予約）”が選択され、続きの番組が未録画であると、判定されたときは、以下のような動作となる。ステップＳＢ６のように、続きの番組の習慣性（又は規則性と称しても良い）が判定される。習慣性は、例えば、電子番組案内情報を参照して、シリーズとして放送されているかどうか、放送されているとしたら何曜日、何時から何時の時間帯に放送されているか、過去に放送されているが、曜日又は時間帯が不明の場合、番組名が共通するものがサーチされる。または番組名と次の話番号のものがサーチされる。
【００５８】
（６）続きの番組の予約方法が確定すると、例えば−シリーズ…−を予約しましたというコメントが表示され（ステップＳＢ７）、以後は、通常のＴＶ視聴画面に移行する。
【００５９】
上記の（６）で示した続きの番組の予約の形態としては各種あるので、以下、その予約形態の例を説明する。
【００６０】
図５に示すように、上記した再生直後の番組の続きの番組が未録画であった場合は、電子番組案内情報、或いはネットワーク情報を用いて、当該番組の規則性が判定される（ステップＳＣ１）。規則性が判明した場合は、ステップＳＣ２において、例えば、画面ＳＣ２’のように表示される。この画面の例は、次回の放送日時として、”毎週金曜放送”の規則性が判明し、次回は、”５月１２日”であることが判明した例である。この場合は、ユーザは、次回放送日時の項目と、毎週金曜の項目のいずれを選択しても、続き番組の予約を行なうことができる。例えば、ユーザが、リモートコントローラを操作して、カーソルを移動させ、”５月１２日”を選択し、決定キーを押すと、ステップＳＣ５に移行する。ここでは、録画予約として、日時指定予約処理が実行される。録画予約が完了すると、”予約しました”というコメントが画面上に表示され（ステップＳＣ１０）、処理が終了する。ステップＳＣ２において、ユーザが、”毎週金曜日”を選択して、決定キーを押すと、ステップＳＣ６に移行し、毎週Ｘ曜日の予約処理に移行する。予約が完了すると、”予約しました”というコメントが画面上に表示され（ステップＳＣ１０）、処理が終了する。
【００６１】
規則性として、シリーズ性が判明したときは、画面ＳＣ２’の”シリーズ録画”の項目がハイライト状態になる。ここでユーザが決定キーを押すと、ステップＳＣ７に移行して、シリーズ番組の自動録画設定状態になる。予約が完了すると、”予約しました”というコメントが画面上に表示され（ステップＳＣ１０）、処理が終了する。
【００６２】
なお、シリーズ性の判別は、たとえば、前回放送された同じ番組名が第Ｎ話であり、今回放送された同じ番組名が第Ｎ＋１話であったような場合、シリーズ性ありと判別できる。番組名及び話番号は、番組情報に含まれるので、番組情報から判別することができる。シリーズ性は、同じ番組名のものが放送されたら、自動録画するというものであるから、他の規則性があっても、”シリーズ自動録画”を設定してもかまわない。
【００６３】
シリーズ性が不明な場合がある。この場合は、図６に示すような画面ＳＣ２’が得られる。つまり、この画面ＳＣ２’は、次回の放送日時あるいは曜日が不明であるから、ユーザがマニュアルで設定してくださいということを促している。この場合、ユーザは日時指定で予約するか、曜日指定で予約できますよということを示唆している。ユーザが、図６の画面ＳＣ２’で、”日時指定”を選択して、決定キーを操作すると、図５のフローでは、ステップＳＣ８に移行し、ここで、ユーザが予約日時を入力することができる。またユーザが、図６の画面ＳＣ２’で、”曜日指定”を選択して、決定キーを操作すると、図５のフローでは、ステップＳＣ８に移行し、ここで、ユーザが予約曜日を入力することができる。
【００６４】
この発明は、上記の実施の形態に限定されるものではない。図４のステップＳＢ３で、ユーザが、”続きを見る”を選択し、続きの番組が未録画であった場合は、番組の録画予約処理に自動的に移行した。
【００６５】
しかしこれに限らず、積極的に図７に示す画面Ｄ１のように”次回予約”という項目を設けてもよい。この場合は、ユーザが”続きを見る”という項目を選択したときに、続きの番組が未録画であった場合、自動的に”次回番組を予約してください”というコメントを表示するほうが好ましい。ユーザはこのコメントを見て、カーソルを移動させて、”次回予約”という項目を選択するように案内される。
【００６６】
”次回予約”という項目が選択され、決定キーが押されると、例えば、画面Ｄ２のように、日時指定を行うことができる画面となる。ここで、月  日、録画開始時間を入力することができる。ユーザが、日時指定ではなく、曜日指定を行ないたい場合には、”次へ” （リモコンの矢印キー）を操作すると、画面Ｄ３に移行する。この画面Ｄ３では、曜日と録画開始時間を入力することができる。画面Ｄ３から画面Ｄ２に戻るときは、”戻る”（リモコンの矢印キー）を操作すると画面Ｄ２に戻ることができる。月、日時の入力は、例えば、次のように行なわれる。即ち、最初「月」の位置で、デフォルト値がフラッシュしている。この値を変えるには、上下のいずれかの矢印キーを押すことで、数値が変化する。所望の数値となったときに、決定キーを押すと、次の「日」の位置のデフォルト値が表示される。この「日」の値を変えるには、上下のいずれかの矢印キーを押すことで、数値が変化する。所望の数値となったときに、決定キーを押す。時間：分の入力についても同様に操作される。画面Ｄ３の曜日では、デフォルト値として例えば「月曜」が表示される。これを変えるには、上下のいずれかの矢印キーを押すことで、曜日が変化する。所望の曜日となったときに、決定キーを押すと、曜日が確定する。
【００６７】
上記したようにこの発明の装置によると、ある番組の再生後、その番組の続きの番組を録画済みかどうか判定できるようにし、少なくとも続きの番組が録画済みであれば、すぐに視聴することができ、その設定操作が向上する。また、続きの番組を録画済みかどうか判定した後、未録画であれば前記続きの番組を自動的に予約できるようにし、その設定操作を簡単にしている。
【００６８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６９】
【図１】この発明が適用された情報記録再生装置のブロック構成を示す図である。
【図２】図１の装置がタイトルを再生し、停止したとき、その再生が完了であるか未完了を判定するための論理判定動作作を説明するためのフローチャートである。
【図３】図２の判定動作の補足説明を行なうために示した説明図である。
【図４】図１の装置の動作例を、動作手順と画面表示例を示しながら説明する図である。
【図５】図４のステップＳＢ６の詳細な動作例を、動作手順と画面表示例を示しながら説明する図である。
【図６】図５のステップＳＣ２において現れる画面の他の例を示す説明図である。
【図７】図１の装置において、モニタに表示される画面のさらに他の例を示す説明図である。
【符号の説明】
【００７０】
１００１…光ディスク、１００２…ディスクドライブ部、１００３…データプロセッサ部、１００４…ハードディスクドライブ部、
３０…マイクロコンピュータブロック、４１ａ…ＡＶ入力部、４１ｂ…地上波アナログチューナ、４１ｃ…地上波デジタルチューナ、４１ｄ…衛星ＢＳ／ＣＳチューナ、４１ｅ…衛星アナログチューナ、５０…エンコーダ部、６０…デコーダ部、３０１…ＥＰＧ情報処理部、３０２…受信制御部、３１１…予約録画制御部、３１２…記録制御部３１２、３１３…再生制御部、３１４…表示制御部、３２０…コマンド表示及び実行指示判定部、３２１…番組検索部、３２２…次回予約制御部、３２３…移動処理部、３２４…削除処理制御部、３２５…消去禁止フラグ設定部。
【図１】
0004649366.tif 000002
【図２】
0004649366.tif 000003
【図３】
0004649366.tif 000004
【図４】
0004649366.tif 000005
【図５】
0004649366.tif 000006
【図６】
0004649366.tif 000007
【図７】
0004649366.tif 000008